(57)【要約】【課題】  モータを装着した状態でバランスウェートを容易に取り付けることができると共に、該バランスウェートのモータファンへの自動組付けを実現できるモータファンのアンバランス修正構造の提供。【解決手段】  ファン１の後面側にモータＭが装着されたモータファンのアンバランス修正構造であって、前記ファン１が、少なくとも前記モータＭに連結され、後方側に開口した有底円筒状のボス部２と、該ボス部２から外方に向かって延びる複数のブレード３とを備え、前記ボス部の前面５に、バランスウェート８を固定するためのリブ６を該ボス部の前面５の中心から外周部に向かって放射状に複数配置した。【選択図】        図３
2005188325.tif 000002
【特許請求の範囲】
【請求項１】
ファンの後面側にモータが装着されたモータファンのアンバランス修正構造であって、
前記ファンが、少なくとも前記モータに連結され、後方側に開口した有底円筒状のボス部と、該ボス部から外方に向かって延びる複数のブレードとを備え、
前記ボス部の前面に、バランスウェートを固定するためのリブを該ボス部の前面の中心から外周部に向かって放射状に複数配置したことを特徴とするモータファンのアンバランス修正構造。
【請求項２】
請求項１記載のモータファンのアンバランス修正構造において、
前記リブを前後方向に起立した状態で形成し、
前記バランスウェートを前記リブに嵌着可能なコ字状に形成したことを特徴とするモータファンのアンバランス修正構造。
【発明の詳細な説明】
【技術分野】
【０００１】
本発明は自動車のラジエータ等の熱交換器の冷却に用いられるモータファンのアンバランス修正構造に関する。
【背景技術】
【０００２】
従来、自動車のラジエータ等の熱交換器の後面側には、ファンとモータを組付けたモータファンがモータファンシュラウドを介して装着されており、該モータファンにより熱交換器を冷却する構造となっている（特許文献１参照）。
【０００３】
このようなモータファンは製造時において、例えば、図９に示すように、ブレードの外周縁部にコ字状のバランスウェートを手作業で嵌着させることによりアンバランス修正を行っている。
或いは、図１０に示すように、ボス部の後方側外周縁部にコ字状のバランスウェートを手作業で嵌着させてアンバランス修正を行っている。
【特許文献１】特開平８−１８２２５２号公報
【発明の開示】
【発明が解決しようとする課題】
【０００４】
しかしながら、前者のブレードにバランスウェートを取り付ける場合、ブレードは複雑な曲部を有して形成され、その板厚も一定ではないため、機械による自動組付けが困難であるという問題点があった。
【０００５】
また、バランスウェートの取付け位置は、ブレードの外周縁部に限定されるため、周方向位置の修正が困難で複数箇所にバランスウェートを取り付ける必要が生じる場合があった。
【０００６】
さらに、前記ブレードに取り付けられたバランスウェートはモータファンの乱流や騒音の原因となる虞がある。
【０００７】
一方、後者のボス部にバランスウェートを取り付ける場合、バランスウェートの取付け位置は、ボス部の後方側外周縁部に限定されるため、径方向位置の修正が困難で複数箇所にバランスウェートを取り付ける必要が生じる場合があった。
【０００８】
また、ボス部の後面側にはモータやモータファンシュラウド等が近接して装着されるため、ここにバランスウェートを取り付ける作業は手作業または機械による自動組付けでも実際上困難である。
【０００９】
従って、前記ボス部の後方側外周縁部にバランスウェートを取り付ける作業はファン単体の製造時であれば可能であるが、実際のモータファンのアンバランス修正はファンにモータを組付けて、該モータで実際にファンを回転させた状態で行わなければ製品毎に十分な品質が保証されているとはいえない。
【００１０】
本発明は上記問題点に着目してなされたもので、その目的とするところは、モータを装着した状態でバランスウェートを容易に取り付けることができると共に、該バランスウェートのモータファンへの自動組付けを実現できるモータファンのアンバランス修正構造を提供することである。
【課題を解決するための手段】
【００１１】
上記課題を解決するため請求項１記載の発明では、ファンの後面側にモータが装着されたモータファンのアンバランス修正構造であって、前記ファンが、少なくとも前記モータに連結され、後方側に開口した有底円筒状のボス部と、該ボス部から外方に向かって延びる複数のブレードとを備え、前記ボス部の前面に、バランスウェートを固定するためのリブを該ボス部の前面の中心から外周部に向かって放射状に複数配置したことを特徴とする。
【００１２】
請求項２記載の発明では、請求項１記載のモータファンのアンバランス修正構造において、前記リブを前後方向に起立した状態で形成し、前記バランスウェートを前記リブに嵌着可能なコ字状に形成したことを特徴とする。
【発明の効果】
【００１３】
請求項１記載の発明にあっては、ボス部の前面に、バランスウェートを固定するためのリブを該ボス部の前面の中心から外周部に向かって放射状に複数配置したため、バランスウェートを取り付ける周方向及び径方向位置を細かく選択してバランスを調整でき、モータファンのアンバランスの修正精度を向上できる。
【００１４】
また、前記リブはボス部の前面に形成されるため、ファンにモータまたはモータファンシュラウドが組み付けられた状態でのアンバランス修正が容易に可能となる。
【００１５】
請求項２記載の発明にあっては、前記リブを前後方向に起立して形成し、バランスウェートを前記リブに嵌着可能なコ字状に形成したため、ボス部の前面側からバランスウェートをリブに容易に固定でき、機械による自動組付けが可能になる。
【発明を実施するための最良の形態】
【００１６】
以下、本発明のモータファンのアンバランス修正構造の実施例を説明する。
なお、本実施例では熱交換器の後面側に搭載されるモータファンについて説明するが、モータファンが熱交換器の前面側に搭載される場合における本発明のモータファンのアンバランス修正構造の作用・効果は全く同様であるため、その説明は省略する。
【００１７】
以下、本発明の実施例１を説明する。
図１は本発明の実施例１のモータファンのアンバランス修正構造におけるファンの正面図、図２は実施例１のモータファンのアンバランス修正構造におけるファンの斜視図、図３は図２のＳ３−Ｓ３線における断面斜視図である。
図４は実施例１のバランスウェートの斜視図、図５は実施例１のバランスウェートの側面図、図６は実施例１のモータファンのアンバランス修正構造におけるファンの側面図、図７は実施例１のモータファンのアンバランス修正構造におけるモータファンがモータファンシュラウドに装着された状態を示す背面図である。
【００１８】
図１、２に示すように、本実施例１のモータファンのアンバランス修正構造では、ファン１がボス部２とブレード３を有して樹脂で一体的に形成されている。
【００１９】
前記ボス部２は、後方側に開口した有底円筒状を成し、その中心に後述するモータＭのシャフトに連結固定される固定穴３ａが形成されている。
【００２０】
また、前記ボス部２の外周面４には外方に伸びる５枚のブレード３が形成されている。
【００２１】
そして、図３に示すように、前記ボス部の前面５側（熱交換器側）には、その中心（固定穴３ａ）から外周部１０に向かって放射状にリブ６が複数形成されている。
【００２２】
具体的には、前記リブ６はボス部の前面５に凹設された円形状の溝７を複数の部屋に隔成するように前方に起立した状態で形成され、ここにコ字状のバランスウェート８がボス部の前面５側から嵌着可能となっている。
図４、５に示すように、前記バランスウェート８の長さＷは少なくともリブ６の長さＷ１よりも小さく形成されており、該バランスウェート８の取付け位置を径方向に調整可能となっている。
なお、前記バランスウェート８の素材は重量などを考慮して適宜設定できる他、長さＷや高さＨはリブ６に嵌着可能な範囲で適宜設定できる。
【００２３】
また、通常、モータファンのバランスは重量×中心からの距離で表され、モータファンの径が大きくなるほどバランスのばらつき範囲が大きくなるため、リブ６の長さＷ１は大きい方がバランスウェート８の径方向の取付け位置の調整範囲を広げることができるが、これらはモータファンの搭載レイアウトやファン１の回転時の騒音等を考慮して適宜設定される。
【００２４】
このように構成されたモータファンのアンバランス修正構造にあっては、図６、７に示すように、ボス部２の後面側に、前記固定穴３ａにシャフトを連結固定されたモータＭが装着され、さらに、該モータＭはモータファンシュラウド９に固定され、これにより、ファン１の後面側は前記モータＭやモータファンシュラウド９、モータファンシュラウド９のステー９ａ等が近接する一方、ボス部の前面５側は解放された状態となる。
【００２５】
続いて、ファン１に装着されたモータＭでファン１を回転させてモータファンのアンバランスを図外の測定器で計測した後、ファン１の回転を停止させてアンバランス修正を行うが、図３に示すように適宜のリブ６にバランスウェート８をボス部の前面側５から嵌着させることによりアンバランス修正を容易に行うことができる。
【００２６】
この際、バランスウェート８を仮保持した図外の機械を、ボス部の前面５側から適宜のリブ６に向かって前後動させた後、コ字状のバランスウェート８をリブ６に嵌着させるという簡便な動作で機械によるバランスウェート８の自動組付けが可能となる。
【００２７】
また、前記バランスウェート８の素材、長さＷ、高さＨが異なるものを適宜選択して用いることにより、該バランスウェート８の重量を調整できる。
また、バランスウェート８を取り付ける径方向の位置をリブ６上で選択・調整することにより、修正精度を向上できる。
さらに、リブ６がファン１の外周部の全周に亙って放射状に配置されているため、バランスウェート８の周方向位置の選択範囲が広がり、修正精度を向上できる。
【００２８】
従って、従来の発明に比べてより正確な位置にバランスウェート８を取り付けることができ、アンバランス修正精度が向上する上、複数のバランスウェート８を必要とせず、アンバランス修正作業にかかる手間及び時間を大幅に削減してモータファンの生産性を向上させることができる。
【００２９】
また、モータＭやモータファンシュラウド９を装着した状態で該モータＭによりファン１を実際に回転させてアンバランス修正を行うことができ、製品毎に品質が保証されたモータファンを製造することができる。
【００３０】
なお、補足ではあるが前記バランスウェート８の取付けは手作業で行うことも可能であり、この場合、前述したようにボス部の前面５側は解放された状態であるため、バランスウエート８を容易に取り付けることもできる。
【００３１】
以上、本発明の実施例を説明してきたが、本発明の具体的構成は本実施例に限定されるものではなく、発明の要旨を逸脱しない範囲の設計変更などがあっても本発明に含まれる。
【００３２】
例えば、前記リブ６及びバランスウェート８の形状は機械による自動組付けを優先しなければその形状は適宜設計変更できる。
【００３３】
例えば、図８に示すように、リブ６の長さＷ１を大きくしてバランスウェート８の取付け位置の調整範囲を広くしても良い。
【００３４】
また、本実施例ではボス部の前面５に凹設された溝７からリブ６を起立させたが、凹設された溝７を廃止してボス部の前面５からリブ６を前方に起立させても良い。
【図面の簡単な説明】
【００３５】
【図１】本発明の実施例１のモータファンのアンバランス修正構造におけるファンの正面図である。
【図２】実施例１のモータファンのアンバランス修正構造におけるファンの斜視図である。
【図３】図２のＳ３−Ｓ３線における断面斜視図である。
【図４】実施例１のバランスウェートの斜視図である。
【図５】実施例１のバランスウェートの側面図である。
【図６】実施例１のモータファンのアンバランス修正構造におけるファンの側面図である。
【図７】実施例１のモータファンのアンバランス修正構造におけるモータファンがモータファンシュラウドに装着された状態を示す背面図である。
【図８】その他の実施例のモータファンのアンバランス修正構造を説明する断面斜視図である。
【図９】従来のモータファンのアンバランス修正構造を説明するファンの斜視図である。
【図１０】従来のモータファンのアンバランス修正構造を説明するファンの斜視断面図である。
【符号の説明】
【００３６】
Ｍ  モータ
１  ファン
２  ボス部
３  ブレード
３ａ  固定穴
４  外周面
５  ボス部の前面
６  リブ
７  溝
８  バランスウェート
９  モータファンシュラウド
９ａ  ステー
１０  外周部
【図１】
2005188325.tif 000003
【図２】
2005188325.tif 000004
【図３】
2005188325.tif 000005
【図４】
2005188325.tif 000006
【図５】
2005188325.tif 000007
【図６】
2005188325.tif 000008
【図７】
2005188325.tif 000009
【図８】
2005188325.tif 000010
【図９】
2005188325.tif 000011
【図１０】
2005188325.tif 000012